(57)【要約】【課題】入子やスライドコアピンを必要とすることなく良好な離型を可能にする形状のドレンパン部品と、これが設置された室内機を有する空気調和機と、これを成形するドレンパン部品成形用金型を得る。【手段】ドレンパン部品２００は、底板後方部２２０と底板前方部２３０とによって形成された上方に開口する断面略Ｌ字状の樋部分を有し、底板前方部２３０の底板前方部前縁２３２において、上方に向けて前方上部フランジ２４０が延設（一体成形）され、前方斜め下方に向けて段部２５０が接合（一体形成）されている。段部２５０は前方側スライドコア３０００に彫り込まれた段差上面キャビ面３２５０によって成形され、段差上面キャビ面３２５０が成形体２の段部２５０を押え付けた状態で、可動側金型２０００が固定側金型１０００から離れる。【選択図】図５
2010082914.tif 000002
【特許請求の範囲】
【請求項１】
底板前方部と底板後方部とによって形成された上方に開口する断面略Ｌ字状のドレン受け部分と、
前記底板前方部の前縁から上方に向けて延設された前方上部フランジと、
前記底板前方部の前縁に繋がって、底板前方部の前方に突出する段部と、
該段部の前縁に繋がって、前記前方側底板との間に所定の空間を形成する前方下部フランジと、を有し、
空気調和機の室内機に収納された熱交換器の下方に取り付けられることを特徴とするドレンパン部品。
【請求項２】
前記前方下部フランジの前面に、上方が開口した箱状のフックが形成されていることを特徴とする請求項１記載のドレンパン部品。
【請求項３】
底板前方部の上面、底板後方部の上面、および前記前方上部フランジの上面が、ドレンパン部品成形用金型を構成する固定側金型によって成形され、
前記底板前方部の下面、前記底板後方部の下面、前記段部の下面、前記前方上部フランジの上面、および前記後方下部フランジの下面が、前記ドレンパン部品成形用金型を構成する可動側金型によって成形され、
前記前方上部フランジの下面、前記段部の上面、および前記前方上部フランジの下面が、前記ドレンパン部品成形用金型を構成する前方側スライドコアによって成形されることを特徴とする請求項１または２記載のドレンパン部品。
【請求項４】
前記底板後方部の後縁に下方に向けて延設された後方下部フランジと、
を有することを特徴とする請求項１または２記載のドレンパン部品。
【請求項５】
底板前方部の上面、底板後方部の上面、および前記前方上部フランジの上面が、ドレンパン部品成形用金型を構成する固定側金型によって成形され、
前記底板前方部の下面、前記底板後方部の下面、前記段部の下面、前記前方上部フランジの上面、および前記後方下部フランジの下面が、前記ドレンパン部品成形用金型を構成する可動側金型によって成形され、
前記前方上部フランジの下面、前記段部の上面、および前記前方上部フランジの下面が、前記ドレンパン部品成形用金型を構成する前方側スライドコアによって成形され、
前記後方下部フランジの上面が、前記ドレンパン部品成形用金型を構成する後方側スライドコアによって成形されることを特徴とする請求項４記載のドレンパン部品。
【請求項６】
本体と、該本体の内部に設置された室内熱交換器および送風機と、前記本体に取り付けられた請求項１乃至５の何れかに記載のドレンパン部品と、を具備する室内機と、
圧縮機と、室外熱交換器と、膨張手段と、を具備する室外機と、
前記室内機と前記室外機とを連結する連結手段と、
を有し、
前記圧縮機と、前記室外熱交換器と、前記膨張手段と、前記室内熱交換器とによって冷凍サイクルが構成されることを特徴とする空気調和機。
【請求項７】
底板前方部と底板後方部とによって成形された上方に開口する断面略Ｌ字状のドレン受け部分と、
前記底板前方部の前縁から上方に向けて延設された前方上部フランジと、
前記底板前方部の前縁に繋がって、底板前方部の前方に突出する段部と、
該段部の前縁に繋がって、前記前方側底板との間に所定の空間を成形する前方下部フランジと、
を具備し、空気調和機の室内機に収納された熱交換器の下方に取り付けられるドレンパン部品、を成形するドレンパン部品成形用金型であって、
底板前方部の上面、底板後方部の上面、および前記前方上部フランジの上面を成形する固定側金型と、
前記底板前方部の下面、前記底板後方部の下面、前記段部の下面、前記前方上部フランジの上面、および前記前方下部フランジの下面を成形する可動側金型と、
前記前方上部フランジの下面、前記段部の上面、および前記前方下部フランジの下面を成形する前方側スライドコアと、
を有することを特徴とするドレンパン部品成形用金型。
【請求項８】
底板前方部と底板後方部とによって成形された上方に開口する断面略Ｌ字状のドレン受け部分と、
前記底板前方部の前縁から上方に向けて延設された前方上部フランジと、
前記底板前方部の前縁に繋がって、底板前方部の前方に突出する段部と、
該段部の前縁に繋がって、前記前方側底板との間に所定の空間を成形する前方下部フランジと、
前記底板後方部の後縁に下方に向けて延設された後方下部フランジと、
を具備し、空気調和機の室内機に収納された熱交換器の下方に取り付けられるドレンパン部品を成形するドレンパン部品成形用金型であって、
底板前方部の上面、底板後方部の上面、および前記前方上部フランジの上面を成形する固定側金型と、
前記底板前方部の下面、前記底板後方部の下面、前記段部の下面、前記前方上部フランジの上面、および前記前方下部フランジの下面を成形する可動側金型と、
前記前方上部フランジの下面、前記段部の上面、および前記前方上部フランジの下面を成形する前方側スライドコアと、
前記後方下部フランジの上面を成形する後方側スライドコアと、
を有することを特徴とするドレンパン部品成形用金型。
【発明の詳細な説明】
【技術分野】
【０００１】
本発明は空気調和機およびそのドレンパン部品、並びにドレンパン部品成形用金型、特に、空気調和機および該空気調和機の室内機に設置されるドレンパン部品、並びに該ドレンパン部品を成形するドレンパン部品成形用金型に関する。
【背景技術】
【０００２】
従来、空気調和機の室内機の内部には、熱交換器の下方に結露水等を受け止めるためのドレンパン部品が設置されている。
ドレンパン部品は、上方に開口する断面略Ｌ字状（開度が大きな略Ｖ字状に同じ）の樋であるドレン受け部分（貯め部分に同じ）が、底板前方部と底板後方部とから形成され、底板前方部の側縁から上方に延設された取付用前方上部フランジと、底板前方部の側縁から下方に延設された取付用前方下部フランジと、底板後方部の側縁から下方に延設された取付用後方下部フランジと、取付用前方上部フランジの前面に突出する係止部（以下「フック」と称す）と、を有している。
【０００３】
このとき、取付用前方上部フランジの前面と取付用前方下部フランジの前面とは略同一面を形成するため、かかる同一面とフックとが、ドレンパン部品成形用金型を構成するスライドコア（スライド金型に同じ）によって形成される。そして、取付用前方上部フランジの前面と底板前方部の上面および底板後方部の上面とが、固定側金型によって形成され、取付用前方下部フランジの後面と底板前方部の下面および底板後方部の下面とが、可動側金型によって形成される。
このため、射出成形後に可動側金型を移動する（開く）際、成形体（ドレンパン部品に相当する）が固定側金型に貼り付き易いという問題があった。
【０００４】
なお、樹脂製品（成形体に同じ）は、射出成形機に固定された固定側金型と、固定側金型に対して一方向に移動自在な可動側金型とを当接した際に形成され閉鎖空間（以下「キャビティ」と称す）に、熱可塑性樹脂を射出して形成されている。また、可動側金型と固定側金型との当接面（以下「パ−テインクライン」と称す）から離れた位置に、パ−テインクラインに略平行な凸部や凹部（以下「アンダーカット部」と称す）を有する樹脂製品は、かかる凸部や凹部が可動側金型とは相違する方向に移動するスライドコアによって形成されている。
そして、成形後の樹脂製品は、可動側金型に付着した状態で、固定側金型から引き離され、その後、可動側金型からはエジェクタ機構によって押し出されて離脱する。
このとき、可動側金型を移動した際、成形後の樹脂製品が固定側金型から引き離されるようにするため（いわゆる「離型性」を改善する）発明が開示されている（例えば、特許文献１、２参照）。  
【０００５】
【特許文献１】特開平８−２８１７１６号公報（第２−３頁、第２図）
【特許文献２】特開平８−１６８０号公報（第３−４頁、第１図）
【発明の開示】
【発明が解決しようとする課題】
【０００６】
しかしながら、特許文献１に開示された発明は、可動側金型に設置されたスライドコアにパ−テインクラインと平行に移動する入子を配置して、可動側金型の移動初期に、入子が成形後の樹脂製品を可動側金型に押し付けるようにしたものであるため、金型の構造が複雑になり、金型コストが高くなると共に、成形能率が悪化する（成形サイクルタイムが長くなる）という問題があった。
また、特許文献２に開示された発明は、前記入子と同様な構成で、同様な作用効果を奏するスライドコアピンを配置したものであるため、前記と同様の問題があった。
したがって、特許文献１または特許文献２に開示された発明によって、ドレンパン部品を成形したのでは、離型性は改善されるものの、金型コストの上昇や成形能率の悪化によって、ドレンパン部品の価格が高くなるという問題があった。
【０００７】
本発明は、上記のような問題を解決するためになされたものであって、前記入子やスライドコアピンを必要とすることなく良好な離型を可能にする形状のドレンパン部品と、該ドレンパン部品が室内機に設置された空気調和機と、該ドレンパン部品を成形する金型（以下「ドレンパン部品成形用金型」と称す）を得るものである。
【課題を解決するための手段】
【０００８】
本発明に係るドレンパン部品は、底板前方部と底板後方部とによって形成された上方に開口する断面略Ｌ字状のドレン受け部分と、
前記底板前方部の前縁から上方に向けて延設された前方上部フランジと、
前記底板前方部の前縁に繋がって、底板前方部の前方に突出する段部と、
該段部の前縁に繋がって、前記前方側底板との間に所定の空間を形成する前方下部フランジと、を有し、
空気調和機の室内機に収納された熱交換器の下方に取り付けられることを特徴とする。
【発明の効果】
【０００９】
本発明のドレンパン部品は、底板前方部の前縁に繋がって、底板前方部の前方に突出する段部と、これに繋がって前方側底板との間に所定の空間（以下「前方側中空部」と称す）を形成する前方下部フランジと、を有している。
したがって、これをドレンパン部品成形用金型において成形する際、段部の上面等を前方側スライドコアによって成形することができるから、前方側スライドコアが段部を押さえた状態（キャビティの一部を形成した状態に同じ）で、可動側金型を移動させる（開く）ことができるため、成形体（ドレンパン部品に同じ）は固定側金型から引き離される。よって、離型性が改善される。
このとき、特許文献１に記載された入子や特許文献２に記載されたスライドコアピンのような部材を必要としないから、ドレンパン部品成形用金型の構造が簡素になると共に、その動きが迅速になりサイクルタイムが短縮されるから、ドレンパン部品が安価になる。
【発明を実施するための最良の形態】
【００１０】
［実施の形態１：空気調和機］
図１および図２は本発明の実施の形態１に係る空気調和機を説明するものであって、図１は室内機を示す外観斜視図、図２は室内機を示す側面視の断面図である。
図１および図２において、空気調和機１は、室内機１００と、図示しない室外機と、室内機１００と室外機とを連結する図示しない連結手段とを、有している。
【００１１】
（室内機）
室内機１００は、本体１１０と、本体１１０の内部に設置された断面略Λ（ラムダ）状の室内熱交換器１２０と、室内熱交換器１２０によって上方および前方が包囲された状態で、本体１１０に設置された送風機１３０と、を有している。
本体１１０は、上面に吸込口１１１と、後面に据付板１１２と、下面に吹出口１１３と、前面（図２において左側）に前面枠体１１４とを具備し、前面枠体１１４には前面パネル１１５が取り付けられている。
また、送風機１３０の後方には、室内熱交換器１２０の一部に略連なるように（正確には隙間を介して）、風路部材１１６が設けられ、風路部材１１６の下方範囲と略平行で所定の間隔の吹出口１１３を形成するケーシング１４０が設置されている。
【００１２】
ケーシング１４０には、左右風向板１１７と上下風向板１１８ａ、１１８ｂとが設置され、吹出口１１３を通過する風流れの方向を変更可能にしている。
また、ケーシング１４０の上方にはドレンパン部品２００が配置され、ドレンパン部品２００の後方下部フランジ２１０がケーシング１４０の後方係止部１４１に密着して係止し、ドレンパン部品２００の前方下部フランジ２６０がケーシング１４０の前方係止部１４２に密着して係止し、ドレンパン部品２００のフック２７０が前面枠体１０４に設けられて係止部（図示しない）に係止している。
そして、ドレンパン部品２００の底板後方部２２０と底板前方部２３０とによって形成された上方に開口する断面略Ｌ字状の樋状の凹部に、室内熱交換器１２０の前方側の下端部が侵入している。
【００１３】
（室外機）
図示しない室外機は、圧縮機と、室外熱交換器と、膨張手段と、を有し、室内機と連結手段（冷媒、電力、制御情報等を交換する）によって連結されている。そして、室外機に設置された圧縮機、室外熱交換器および膨張手段と、室内機１００に設置された室内熱交換器１２０と、によって冷凍サイクルが形成されている。
【００１４】
［実施の形態２：ドレンパン部品］
図３および図４は本発明の実施の形態２に係るドレンパン部品を説明するものであって、図３はドレンパン部品を示す外観斜視図、図４は側面視の断面を示す部分斜視図である。なお、実施の形態１と同じ部分にはこれと同じ符号を付し、一部の説明を省略する。また、各図は模式的に示すものであって、それぞれの厚さや相互の寸法の大小関係、あるいは数量は一例である。
図３および図４において、ドレンパン部品２００は、底板後方部２２０と底板前方部２３０とによって形成された上方に開口する断面略Ｌ字状の樋部分を有し、該樋の幅方向の両端は、端部部材２９０ａ、２９０ｂによって閉じられている。
【００１５】
（底板後方部）
底板後方部２２０の底板後方部後縁２２１には、下方に向けて後方下部フランジ２１０が延設（一体形成）され、底板後方部前縁２２３には、上方に向けて底板前方部２３０が延設（一体形成）されている。なお、底板後方部２２０の底板後方部後縁２２１と底板後方部前縁２２３との底板中間位置２２２（正確には底板後方部前縁２２３に近い位置）において、底板後方部２２０は屈曲しているが、本発明はこれに限定するものではなく、屈曲に替えて底板後方部前縁２２３に近い範囲が断面円弧状であっても、屈曲しなくてもよい。また、底板後方部２２０は平面であるものに限定するものではなく、断面円弧状であってもよい。
【００１６】
（後方下部フランジ）
後方下部フランジ２１０の後縁（下端に同じ）２１１には、後方下部フランジ凹部２１３が形成され、後方下部フランジ凹部２１３がケーシング１４０の後方係止部１４１に密着することによって、ドレンパン部品２００とケーシング１４０とによって形成される空間（閉鎖空間）内への空気の侵入を防止している。
【００１７】
（底板前方部、前方上部フランジ）
底板前方部２３０は、その底板前方部後縁２２１が底板後方部２２０の底板後方部前縁２２３に接合した状態で一体成形されている。そして、その底板前方部前縁２３２において、上方に向けて前方上部フランジ２４０が延設（一体成形）され、前方斜め下方に向けて段部２５０が接合（一体形成）されている。
すなわち、底板後方部２２０と前方上部フランジ２４０と段部２５０とが、底板前方部前縁２３２において、断面略ト字状（図４においては、「ト」の鏡文字）を呈している。
【００１８】
なお、底板後方部２２０と底板前方部２３０とは、説明の便宜上分けて説明してたものであって、その境界（底板後方部前縁２２３、底板前方部後縁２２１）を明瞭にするものではない。したがって、底板後方部２２０と底板前方部２３０とを滑らかに接合して、断面略円弧や断面略楕円の一部を形成し、実質的に、底板後方部２２０と底板前方部２３０とを区分けすることを不能にしてもよい。
そして、前方上部フランジ２４０は平面状であって、その前面（図４において左側の面）には、幅方向の複数箇所に前方に向けて横突起２４３が設けられている。
【００１９】
（段部、前方下部フランジ）
さらに、段部２５０の前縁（下端に同じ）２５２には、下方に向けて前方下部フランジ２６０が延設（一体形成）されている。したがって、段部２５０の下面と、前方下部フランジ２６０の後面と、前方側底板２３の前面とによって、下方が開口した所定の空間（以下「前面側中空部２８０」と称す）が形成されている。
そして、段部２５０の上面には、幅方向の複数箇所に上方に向けて縦突起２５３が設けられている。
また、前方下部フランジ２６０の前方下部フランジ下端２６２の近傍には、前方下部フランジテーパ部２６３が形成され、前方下部フランジテーパ部２６３がケーシング１４０の前方係止部１４２に密着することによって、ドレンパン部品２００とケーシング１４０とによって形成される空間（閉鎖空間）内への空気の侵入を防止している。
【００２０】
（フック）
前方下部フランジ２６０の前面（図４において左側の面、以下「下面」と称す場合がある）には、幅方向の複数箇所にフック２７０が設けられている。
フック２７０は上方が開口した箱状であって、平面視で略コ字状を形成するフック前板部２７１および一対のフック側板部２７２と、これらの下端に接合されたフック底板部２７３とを、有している。
【００２１】
（端部部材）
端部部材２９０ａ、２９０ｂは、底板後方部２２０と底板前方部２３０とによって形成された樋の幅方向の両端を閉じて、ドレン水を受け止め一次的に貯めるものであって、ドレン水を排出するためのドレンパイプ（図示しない）に連通する排水口や、空気調和機１の室内機１００に設置された機器類との干渉を避けるための凹凸部を有している。なお、本発明は、端部部材２９０ａ、２９０ｂの形状を、図示するものに限定するものではない。
【００２２】
［実施の形態３：ドレンパン部品成形用金型］
図５〜図９は本発明の実施の形態３に係るドレンパン部品成形用金型を説明するものであって、図５〜図７は側面視の断面図、図８および図９は一部を示す外観斜視図である。なお、実施の形態２と同じ部分にはこれと同じ符号を付し、一部の説明を省略する。また、各図は模式的に示すものであって、その寸法や大小関係は図示するものに限定するものではない。
図５〜図９において、ドレンパン部品成形用金型（以下「成形用金」と称す）３は、実施の形態２において説明したドレンパン部品２００を成形するものであって、固定側金型１０００と、可動側金型２０００と、前方側スライドコア３０００と、後方側スライドコア４０００と、を有している。
【００２３】
（固定側金型）
固定側金型１０００は直方体ブロックから形成され、側面視の断面において、ドレンパン部品２００の底板後方部２２０の上面形状に対応した形状の後方底上面キャビ面１２２０と、底板前方部２３０の上面形状に対応した形状の前方底上面キャビ面１２３０と、前方上部フランジ２４の上面形状に対応した形状の前方上部フランジキャビ面１２４０と、を有している。
また、前記直方体ブロックの幅方向の両端には、端部部材２９０ａ、２９０ｂの上面形状（懐の内面形状に同じ）に対応した形状にキャビティ面（「キャビ面」と称している）が形成されている。
そして、後方側に後方側スライドコア４０００が摺動する固定側後方摺動面１４００と、前方側に前方側スライドコア３０００が摺動する固定側前方摺動面１３００と、を有している。
【００２４】
さらに、固定側前方摺動面１３００には、段部２５０に形成された縦突起２５３を成形するための縦突起用ブロック部１０００Ｃ（図６の（ｃ）参照）と、前方下部フランジ２６０に形成されたフック２７０を成形するためのフック用ブロック部１０００Ｄ（図７の（ｄ）および（ｅ）参照）と、が前方に突出する形で形成されている。
【００２５】
（縦突起用ブロック部）
固定側金型１０００の縦突起用ブロック部１０００Ｃは、縦突起２５３と同じ幅であって、側面視の断面において、前方上部フランジ２４０の上面形状および下面形状に対応した形状の前方上部フランジキャビ溝１２４０Ｃ（所定の間隔を空けて配置された２面を有する）と、段部２５０の上面形状に対応した形状の段差下面キャビ面１２５０と、前方下部フランジ２６０の下面（前面）の上範囲を成形する前方下部フランジ下面キャビ面１２６０と、が形成されている。
また、段差下面キャビ面１２５０には、縦突起２５３の全体形状に対応した形状の縦突起キャビ溝１２５３Ｃが、形成されている。そして、縦突起用ブロック部１０００Ｃの下面は、前方側スライドコア３０００が摺動する固定側下方摺動面１３００Ｃになっている（図６の（ｃ）および図８等参照）。
【００２６】
（フック用ブロック部）
フック用ブロック部１０００Ｄは、フック２７０と同じ幅であって、側面視の断面において、前方上部フランジ２４の上面形状および下面形状に対応した形状の前方上部フランジキャビ溝１２４０Ｄ（所定の間隔を空けて配置された２面を有する）と、段部２５０の上面形状に対応した形状の段差下面キャビ面１２５０Ｄと、前方下部フランジ２６０の下面（前面）の上範囲を成形する前方下部フランジ下面キャビ面１２６０Ｄと、フック２７０のフック前板部２７１の上面および一対のフック側板部２７２の上面を成形するためのフック上面キャビ面１２７０Ｄと、が形成されている。
さらに、フック上面キャビ面１２７０Ｄには、フック前板部２７１およびフック側板部２７２の内面形状と、フック底板部２７３の上面形状とに対応した形状のフック懐キャビ突起１２７０Ｅが、突出して形成されている。なお、フック２７０のフック前板部２７１およびフック側板部２７２の外面形状と、フック底板部２７３の下面形状とは、前方側スライドコア３０００によって形成されるものである（図６の（ｄ）および図９等参照）。また、フック上面キャビ面１２７０Ｄは、前方側スライドコア３０００が摺動する固定側下方摺動面１３００Ｄになっている（図７の（ｅ）参照）。
【００２７】
（可動側金型）
可動側金型２０００は直方体ブロックから形成され、側面視の断面において、後方下部フランジ２１０の下面形状に対応した形状の後方下部フランジ下面キャビ面２２１０と、底板後方部２２０の下面形状に対応した形状の底板後方部下面キャビ面２２２０と、底板前方部２３０の下面形状に対応した形状の底板前方部下面キャビ面２２３０と、段部２５０の下面形状に対応した形状の段差上面キャビ面２２５０と、前方下部フランジ２６０の上面（後面）形状に対応した形状の前方下部フランジ下面キャビ面２２６０と、を有している。
また、後方下部フランジ下面キャビ面２２１０の下端から後方に向かって後方側スライドコア４０００が摺動するための可動側後方摺動面２４００と、前方下部フランジ下面キャビ面２２６０の下端から前方に向かって前方側スライドコア３０００が摺動するための可動側前方摺動面２３００と、が形成されている。
【００２８】
（前方側スライドコア）
前方側スライドコア３０００は直方体ブロックから形成され、側面視の断面において、前方上部フランジ２４０の下面形状に対応した形状の前方上部フランジ下面キャビ面３２４０と、段部２５０の上面形状に対応した形状の段差上面キャビ面３２５０と、前方下部フランジ２６０の下面（前面）形状に対応した形状の前方下部フランジ下面キャビ面３２６０と、を有している。
また、前方上部フランジ下面キャビ面３２４０の幅方向で、横突起２４３に対応した位置に、横突起２４３の全体形状に対応した形状の横突起キャビ溝３２４３Ｂが形成されている。
そして、前記直方体ブロックの後面が、固定側金型１０００と摺動する前方側スライドコア後方摺動面３１００になり、前記直方体ブロックの下面が、可動側金型２０００と摺動する前方側スライドコア下方摺動面３２００になっている。
【００２９】
さらに、前記直方体ブロックには、固定側金型１０００の縦突起用ブロック部１０００Ｃおよびフック用ブロック部１０００Ｄがそれぞれ侵入して摺動する縦突起用ブロック溝３０００Ｃおよびフック用ブロック溝３０００Ｄ（上方が開口した断面矩形状）が形成されている。
【００３０】
（縦突起用ブロック溝）
縦突起用ブロック溝３０００Ｃは正面視において矩形であって、ブロック溝側面３１０２Ｃは縦突起用ブロック部１０００Ｃの側面に摺動し、その間隔が縦突起２５３の幅寸法に対応している。また、そのブロック溝底３１０１Ｃが縦突起用ブロック部１０００Ｃの底面に摺動する前方側スライドコア上方摺動面になっている（図６の（ｃ）および図９等参照）。そして、底部の後方側には、前方下部フランジ２６０の下方範囲の下面（前面）の形状に対応した形状の前方下部フランジ下面キャビ面３２６０が形成されている。
【００３１】
（フック用ブロック溝）
フック用ブロック溝３０００Ｄは正面視において矩形であって、ブロック溝側面３２０２Ｄはフック用ブロック部１０００Ｄの側面に摺動し、その間隔がフック２７０の外面の幅寸法に対応している。また、そのブロック溝底３１０１Ｄがフック用ブロック部１０００Ｄの底面に摺動する前方側スライドコア上方摺動面になっている（図６の（ｃ）および図９等参照）。
そして、ブロック溝部３１０１Ｄ（前方側スライドコア上方摺動面に同じ）の後方側には、フック２７０のフック前板部２７１の外面形状（前面形状に同じ）およびフック底板部２７３の外面形状（下面形状に同じ）に対応した形状のフック前面キャビ面３２７１Ｄおよびフック底面キャビ面３２７３Ｄが形成されている。
すなわち、ブロック溝側面３２０２Ｄと、フック前面キャビ面３２７１Ｄおよびフック底面キャビ面３２７３Ｄと、固定側金型１０００のフック上面キャビ面１２７０Ｄおよびフック懐キャビ突起１２７０Ｅと、によって、ドレンパン部品２００のフック２７０の形状に対応してキャビティが形成される。
【００３２】
（後方側スライドコア）
後方側スライドコア４０００は直方体ブロックから形成され、側面視の断面において、後方下部フランジ２１０の上面（後面）形状に対応した形状の後面下部フランジ上面キャビ面４２１０が形成されている。
なお、図中、後面下部フランジ上面キャビ面４２１０では、アンダーカット形状４２１４、４２１５が、幅方向の全長に渡って形成されているが、本発明はこれに限定するものではなく、幅方向の所定範囲に限定して形成された１つであっても、幅方向で所定の間隔を空けて配置された複数であってもよい。さらに、仮に、後面下部フランジ上面キャビ面４２１０にアンダーカット形状が存在しないときには、固定側金型１０００に後面下部フランジ上面キャビ面４２１０を形成して、後方側スライドコア４０００を撤去してもよい。
【００３３】
（ドレンパン部品成形用金型の動き）
図１０および図１１は本発明の実施の形態３に係るドレンパン部品成形用金型の動きを説明する側面視の断面図である。なお、図１０および図１１は成形用金型３の幅方向の位置Ｂ（図６の（ｂ）に同じ）におけるものを示しているが、その他の位置についても同様に図示されるものである。また、図５〜図９と同じ部分にはこれと同じ符号を付し、一部の説明を省略する。また、各図は模式的に示すものであって、その寸法や大小関係は図示するものに限定するものではない。
【００３４】
図１０の（ａ）において、成形用金型３は、固定側金型１０００と可動側金型２０００と前方側スライドコア３０００と後方側スライドコア４０００とが、閉じた状態であって、ドレンパン部品２００の全体形状に対応したキャビティ（閉鎖空間）が形成されている。
【００３５】
図１０の（ｂ）において、可動側金型２０００が移動して、固定側金型１０００から離れている。このとき、前方側スライドコア３０００と後方側スライドコア４０００とは可動側金型２０００に対して移動していない。すなわち、前方側スライドコア３０００は、段差上面キャビ面３２５０が成形体２を押さえ付けた状態で移動するから、成形体２は固定側金型１０００から確実に引き離される。
【００３６】
図１１の（ｃ）において、前方側スライドコア３０００は前方側に、後方側スライドコア４０００は後方側に、それぞれ移動している。したがって、前方側スライドコア３０００では、横突起２４３は横突起キャビ溝３２４３Ｂから完全に抜け出し、フック２７０（図示しない）は、固定側金型１０００のフック上面キャビ面１２７０Ｄと、前方側スライドコア３０００のフック前面キャビ面３２７１Ｄおよびフック底面キャビ面３２７３Ｄと、から形成されるキャビティから完全に抜け出している。
同様に、後方側スライドコア４０００では、後方下部フランジアンダーカット形状２１４、２１５が、対応するキャビティ（溝）から完全に抜け出している。
【００３７】
図１１の（ｄ）において、可動側金型２０００がさらに移動している。このとき、成形体２は、図示しないエジェクタピンによって、移動不能に支持されるから、成形体２は可動側金型２０００から引き離されている。
よって、成形用金型３は、前記入子やスライドコアピンを必要としない簡素な構成でありながら、成形体２（ドレンパン部品２００に同じ）を確実に離型することができる。
すなわち、ドレンパン部品２００は、前方上部フランジ２４０の前面側に突出する段部２５０を具備することによって、成形用金型３によって成形することが可能になるから、製品コストに占める金型コスト分が安価になる。また、成形用金型３によると離型が容易かつ確実になるから、成形時のサイクルタイムの短縮によって、製造コストはさらに安価になる。
【産業上の利用可能性】
【００３８】
本発明によれば、ドレンパン部品やこれを成形する成形用金型の製造コストが安価になるから、家庭用および業務用の各種空気調和機に設置されるドレンパン部品として、また、かかるドレンパン部品を成形する成形用金型として、広く利用することができる。
【図面の簡単な説明】
【００３９】
【図１】本発明の実施の形態１に係る空気調和機の室内機を示す外観斜視図。
【図２】図１に示す室内機を示す側面視の断面図。
【図３】本発明の実施の形態２に係るドレンパン部品を示す外観斜視図。
【図４】図３に示すドレンパン部品の側面視の部分斜視図。
【図５】本発明の実施の形態３に係る成形用金型を示す側面視の断面図。
【図６】本発明の実施の形態３に係る成形用金型を示す側面視の断面図。
【図７】本発明の実施の形態３に係る成形用金型を示す側面視の断面図。
【図８】本発明の実施の形態３に係る成形用金型の一部を示す外観斜視図。
【図９】本発明の実施の形態３に係る成形用金型の一部を示す外観斜視図。
【図１０】図５〜図９に示す成形用金型の動きを説明する側面視の断面図。
【図１１】図５〜図９に示す成形用金型の動きを説明する側面視の断面図。
【符号の説明】
【００４０】
１：空気調和機（実施の形態１）、２：成形体（実施の形態２）、３：ドレンパン部品成形用金型（実施の形態３）、１００：室内機、１０４：前面枠体、１１０：本体、１１１：吸込口、１１２：据付板、１１３：吹出口、１１４：前面枠体、１１５：前面パネル、１１６：風路部材、１１７：左右風向板、１１８ａ：上下風向板、１１８ｂ：上下風向板、１２０：室内熱交換器、１３０：送風機、１４０：ケーシング、１４１：後方係止部、１４２：前方係止部、２００：ドレンパン部品、２１０：後方下部フランジ、２１３：後方下部フランジ凹部、２１４：後方下部フランジアンダーカット形状、２１５：後方下部フランジアンダーカット形状、２２０：底板後方部、２２１：底板後方部後縁、２２２：底板中間位置、２２３：底板後方部前縁、２３０：底板前方部、２３１：底板前方部後縁、２３２：底板前方部前縁、２４０：前方上部フランジ、２４３：横突起、２５０：段部、２５３：縦突起、２６０：前方下部フランジ、２６２：前方下部フランジ下端、２６３：前方下部フランジテーパ部、２７０：フック、２７１：フック前板部、２７２：フック側板部、２７３：フック底板部、２８０：前面側中空部、２９０ａ：端部部材、２９０ｂ：端部部材、１０００：固定側金型、１０００Ｃ：縦突起用ブロック部、１０００Ｄ：フック用ブロック部、１２２０：後方底上面キャビ面、１２３０：前方底上面キャビ面、１２４０：前方上部フランジキャビ面、１２４０Ｃ：前方上部フランジキャビ溝、１２４０Ｄ：前方上部フランジキャビ溝、１２５０：段差下面キャビ面、１２５０Ｄ：段差下面キャビ面、１２５３Ｃ：縦突起キャビ溝、１２６０：前方下部フランジ下面キャビ面、１２６０Ｄ：前方下部フランジ下面キャビ面、１２７０Ｄ：フック上面キャビ面、１２７０Ｅ：フック懐キャビ突起、１３００：固定側前方摺動面、１３００Ｃ：固定側下方摺動面、１３００Ｄ：固定側下方摺動面、１４００：固定側後方摺動面、２０００：可動側金型、２２１０：後方下部フランジ下面キャビ面、２２２０：底板後方部下面キャビ面、２２３０：底板前方部下面キャビ面、２２５０：段差上面キャビ面、２２６０：前方下部フランジ下面キャビ面、２３００：可動側前方摺動面、２４００：可動側後方摺動面、３０００：前方側スライドコア、３０００Ｃ：縦突起用ブロック溝、３０００Ｄ：フック用ブロック溝、３１００：前方側スライドコア後方摺動面、３１０１Ｃ：ブロック溝底、３１０１Ｄ：ブロック溝底（前方側スライドコア上方摺動面）、３１０２Ｃ：ブロック溝側面、３２００：前方側スライドコア下方摺動面、３２０２Ｄ：ブロック溝側面、３２４０：前方上部フランジ下面キャビ面、３２４３Ｂ：横突起キャビ溝、３２５０：段差上面キャビ面、３２６０：前方下部フランジ下面キャビ面、３２７１Ｄ：フック前面キャビ面、３２７３Ｄ：フック底面キャビ面、４０００：後方側スライドコア、４２１０：後面下部フランジ上面キャビ面、４２１４：アンダーカット形状。
【図１】
2010082914.tif 000003
【図２】
2010082914.tif 000004
【図３】
2010082914.tif 000005
【図４】
2010082914.tif 000006
【図５】
2010082914.tif 000007
【図６】
2010082914.tif 000008
【図７】
2010082914.tif 000009
【図８】
2010082914.tif 000010
【図９】
2010082914.tif 000011
【図１０】
2010082914.tif 000012
【図１１】
2010082914.tif 000013